(57)【特許請求の範囲】
【請求項１】
光を透過する材料で形成されたトッププレートと、
交流磁界を発生させて、前記トッププレート上に載置された被加熱物を誘導加熱する複数の加熱コイルと、
前記加熱コイルに流れる電流を制御する制御部と、
被加熱物の加熱制御に関する指令の入力操作を行うための操作部と、
前記加熱コイルの外周近傍に設けられた複数の発光部と、を備え、
前記制御部は、前記操作部からの入力に基づいて、前記加熱コイルに高周波電流を供給する加熱制御部と、前記発光部の発光を制御する発光制御部と、を備え、
複数の加熱コイルを連動して動作させることができ、
前記操作部により本体の電源が投入されたときには、前記複数の加熱コイルの動作を停止したままで、単独で動作させることのできる前記加熱コイルの外周近傍と、連動して動作させる複数の加熱コイルの外周近傍を順次発光させるように、前記発光部を点灯させる加熱エリア順次表示モードを有することを特徴とする誘導加熱調理器。
【請求項２】
前記制御部は、前記加熱エリア順次表示モード中に加熱コイルに対する前記指令が前記操作部から入力されたときには、前記指令の対象となる単独の前記加熱コイル又は連動する複数の加熱コイルの外周近傍を発光させるように、前記発光部を点灯させるとともに、前記指令に基づく加熱動作を行う加熱モードに移行することを特徴とする請求項１に記載の誘導加熱調理器。
【請求項３】
中心が同心となるように構成された２つ以上の加熱コイルの外周近傍を発光させる場合には、前記制御部は、前記２つ以上の加熱コイルのうち、外側の加熱コイルの外周近傍に設けられた発光部のみを点灯させ、
中心が同心でない隣り合う２つ以上の加熱コイルの外周近傍を発光させる場合には、前記制御部は、前記２つ以上の加熱コイルそれぞれの外周近傍に設けられた発光部のうち、連動する複数の加熱コイルの間に配置された発光部を消灯させ、消灯した発光部以外の発光部を点灯させることを特徴とする請求項１または２に記載の誘導加熱調理器。
【請求項４】
前記操作部は、デモモード設定部を含み、
本体の電源が投入される前に、前記デモモード設定部によりデモモードに設定されていると、前記電源が投入された後に、前記指令が前記操作部から入力された場合でも、前記制御部は、前記加熱コイルに通電しないことを特徴とする請求項１乃至３のいずれか１つに記載の誘導加熱調理器。
【発明の詳細な説明】
【技術分野】
【０００１】
本発明は、トッププレート上に被加熱物を載置する位置を表示した誘導加熱調理器に関する。
【背景技術】
【０００２】
鍋などの被加熱物を加熱コイルにより誘導加熱する誘導加熱調理器は、安全・清潔・高効率という優れた特徴が認知されて、近年広く普及している。特許文献１には、電源が投入されたとき、加熱コイルの外周近傍またはその一部を、表示手段により表示する誘導加熱調理器が開示されている。これにより、使用者は電源が投入されたか否かが分かると共に、被加熱物を載置する場所（加熱部）も明確に認識しやすくなるので、利便性がよい。
【０００３】
【特許文献１】特開２００１−２９７８６３号公報
【発明の開示】
【発明が解決しようとする課題】
【０００４】
特許文献１に記載の誘導加熱調理器では、加熱部と加熱コイルを１対１に対応させて、加熱コイルの外周近傍を表示手段により表示させている。このような構成では、例えば鍋底径の大きな被加熱物を同心上の２つの加熱コイル上に載置して加熱する場合は、２重に加熱部が表示されてしまう。また、１つの大きなオーバル鍋（楕円鍋）を同心上にない隣り合う２つの加熱コイル上に載置して加熱する場合は、２つの加熱部が別々に表示されてしまう。したがって、２つ以上の加熱コイルによって１つの被加熱物を加熱する場合、使用者は被加熱物をどこに載置したらよいか認識しにくいという問題があった。
【０００５】
本発明は、前記課題を解決するもので、２つ以上の加熱コイルによって１つの被加熱物を加熱することができる誘導加熱調理器において、加熱部の位置を明確に表示できる誘導加熱調理器を提供することを目的とする。
【課題を解決するための手段】
【０００６】
本発明に係る誘導加熱調理器は、光を透過する材料で形成されたトッププレートと、交流磁界を発生させて、トッププレート上に載置された被加熱物を誘導加熱する複数の加熱コイルと、加熱コイルに流れる電流を制御する制御部と、被加熱物の加熱制御に関する指令の入力操作を行うための操作部と、加熱コイルの外周近傍に設けられた複数の発光部と、を備え、制御部は、操作部からの入力に基づいて、加熱コイルに高周波電流を供給する加熱制御部と、発光部の発光を制御する発光制御部と、を備え、複数の加熱コイルを連動して動作させることができ、操作部により本体の電源が投入されたときには、複数の加熱コイルの動作を停止したままで、単独で動作させることのできる加熱コイルの外周近傍と、連動して動作させる複数の加熱コイルの外周近傍を順次発光させるように、発光部を点灯させる加熱エリア順次表示モードを有することを特徴とする。
【０００７】
制御部は、加熱エリア順次表示モード中に加熱コイルに対する指令が操作部から入力されたときには、指令の対象となる単独の加熱コイル又は連動する複数の加熱コイルの外周近傍を発光させるように、発光部を点灯させるとともに、指令に基づく加熱動作を行う加熱モードに移行してもよい。
【０００８】
中心が同心となるように構成された２つ以上の加熱コイルの外周近傍を発光させる場合には、制御部は、２つ以上の加熱コイルのうち、外側の加熱コイルの外周近傍に設けられた発光部のみを点灯させ、中心が同心でない隣り合う２つ以上の加熱コイルの外周近傍を発光させる場合には、制御部は、２つ以上の加熱コイルそれぞれの外周近傍に設けられた発光部のうち、連動する複数の加熱コイルの間に配置された発光部を消灯させ、消灯した発光部以外の発光部を点灯させてもよい。
【０００９】
操作部は、デモモード設定部を含み、本体の電源が投入される前に、デモモード設定部によりデモモードに設定されていると、電源が投入された後に、指令が操作部から入力された場合でも、制御部は、加熱コイルに通電しなくてもよい。
【発明の効果】
【００１０】
本発明の誘導加熱調理器は、２つ以上の加熱コイルによって加熱する加熱部を有し、電源投入後、複数の加熱部の外周近傍を順次発光させる。これにより、使用者は加熱前に加熱部の種類（大きさ及び位置）を認識することができる。また、本発明の誘導加熱調理器は、加熱を開始する指令が入力されると、対応する加熱部の外周近傍を発光させる。これにより、２つ以上の加熱コイルによって１つの被加熱物を加熱する場合であっても、連動する加熱コイルの外周近傍が発光されるので、使用者は被加熱物をどこに載置したらよいか認識しやすくなる。
【発明を実施するための最良の形態】
【００１１】
以下に、本発明の実施形態について、図面を参照しながら説明する。なお、同じ構成要素については同じ番号を付している。
【００１２】
［誘導加熱調理器の構成］
図１に、本発明の実施形態による誘導加熱調理器の上面図を示す。本実施形態の誘導加熱調理器の上部に光を透過する結晶化セラミック製のトッププレート１を設け、トッププレート１上に、被加熱物を載置して加熱する、第１の加熱部２、第２の加熱部３、第３の加熱部４、第４の加熱部５、第５の加熱部６を設ける。第１の加熱部２は鍋底径が小さい被加熱物用の加熱部であり、第２の加熱部３は鍋底径が大きい被加熱物用の加熱部である。各加熱部の領域は、トッププレート１の上面又は下面に印刷により表示されている。
【００１３】
図１においては示していないが、トッププレート１の下方であって、第１〜第４の加熱部２，３，４，５それぞれに対応する位置に加熱コイルを設ける。第２の加熱部３に対応する加熱コイルは、第１の加熱コイル２に対応する加熱コイルの外周に設けられる。第２の加熱部３を加熱する場合は、第１の加熱コイル２に対応する加熱コイルと、第２の加熱部３に対応する加熱コイルを共に動作させる。また、第５の加熱部６を加熱する場合は、第３の加熱部４に対応する加熱コイルと、第４の加熱コイル５に対応する加熱コイルを連動して動作させる。第５の加熱部６は、第３の加熱部４に対応する加熱コイルと第４の加熱コイル５に対応する加熱コイルを連動させたときに誘導加熱される領域である。第５の加熱部６は、第３の加熱部４と、第４の加熱部５と、を含む。
【００１４】
トッププレート１の手前側（使用者側）に、表示部７及び操作部８が設けられている。操作部８は、電源のオン／オフを切り換える電源キー８ａと、加熱のオン／オフを切り換える加熱キー８ｂ，８ｃ，８ｄ，８ｅ，８ｆと、火力調整キー８ｇ，８ｈと、を含む。加熱キー８ｂは、第３の加熱部４に対応する加熱コイルと第４の加熱部５に対応する加熱コイルを連動して動作させるためのキーである。加熱キー８ｃは、第３の加熱部４に対応する加熱コイルを動作させるためのキーである。加熱キー８ｄは、第４の加熱部５に対応する加熱コイルを動作させるためのキーである。加熱キー８ｅは、第１の加熱部２に対応する加熱コイルと第２の加熱部３に対応する加熱コイルを連動して動作させるためのキーである。加熱キー８ｆは、第１の加熱部２に対応する加熱コイルを動作させるためのキーである。表示部７は、５つの加熱キー８ｂ〜８ｆそれぞれに対応する５つの火力表示部を含む。火力表示部は、対応する加熱キーに印刷された加熱部の火力を数字で表示する。
【００１５】
第１の加熱部２の外周近傍に、第１の発光部２１〜２４が設けられている。第２の加熱部３の外周近傍に、第２の発光部３１〜３４が設けられている。第３の加熱部４の外周近傍に、第３の発光部４１〜４４が設けられている。第４の加熱部５の外周近傍に、第４の発光部５１〜５４が設けられている。このように、１つの加熱部に対してそれぞれ４つの発光部が設けられている。
【００１６】
第１の発光部２１〜２４は、第１の加熱部２の外周領域を発光させる。これにより、使用者は第１の加熱部２に対して被加熱物を載置すべき領域を容易に認識することができる。第２の発光部３１〜３４は、第２の加熱部３の外周領域を発光させる。これにより、使用者は第２の加熱部３に対して被加熱物を載置すべき領域を容易に認識することができる。第３の発光部４１〜４４は、第３の加熱部４の外周領域を発光させる。これにより、使用者は第３の加熱部４に対して被加熱物を載置すべき領域を容易に認識することができる。第４の発光部５１〜５４は、第４の加熱部５の外周領域を発光させる。これにより、使用者は第４の加熱部５に対して被加熱物を載置すべき領域を容易に認識することができる。第３の発光部４１，４４及び第４の発光部５２，５３は、第５の加熱部６の外周領域を発光させる。これにより、使用者は第５の加熱部６に対して被加熱物を載置すべき領域を容易に認識することができる。
【００１７】
図２に、本発明の実施形態による誘導加熱調理器の構成を示す。図１では５つの加熱部２，３，４，５，６を図示したが、図２では説明の便宜上３つの加熱部２，３，４を図示する。本実施形態の誘導加熱調理器は、トッププレート１と、トッププレート上に表示部７、及び操作部８と、を備える。トッププレート１の下方に、第１の加熱部２に対応する位置に第１の加熱コイル９と、第２の加熱部３に対応する位置に第２の加熱コイル１０と、第３の加熱部４に対応する位置に第３の加熱コイル１１と、を設ける。第１の加熱コイル９と第２の加熱コイル１０は同心上に配置されているが、第３の加熱コイル１１と他の加熱コイル９，１０とは同心上に配置されていない。第１〜第３の加熱コイル９，１０，１１は、誘導磁界を発生させて、トッププレート１上に載置された被加熱物１２，１３を加熱する。
【００１８】
さらに、本実施形態の誘導加熱調理器は、第１及び第２の加熱コイル９，１０の下方に、第１及び第２の加熱コイル９，１０に高周波電流を供給する第１のインバータ回路１４と、第３の加熱コイル１１の下方に、第３の加熱コイル１１に高周波電流を供給する第２のインバータ回路１５と、を備える。第１の加熱コイル９の外周近傍に第１の発光部２１、２３（発光部２２，２４は図示せず）と、第２の加熱コイル１０の外周近傍に第２の発光部３１、３３（発光部３２，３４は図示せず）と、第３の加熱コイル１１の外周近傍に第３の発光部４１、４３（発光部４２，４４は図示せず）と、を設ける。さらに、本実施形態の誘導加熱調理器は、誘導加熱調理器全体の制御を行う制御部１６を備える。制御部１６は、操作部８からの入力に基づいて、加熱コイル９，１０，１１に供給する高周波電流を制御するためにインバータ回路１４，１５に制御信号を出力する加熱制御部１６ａ、と、操作部８からの入力に基づいて、発光部２１〜２４，３１〜３４，４１〜４４を発光させる発光制御部１６ｂと、を含む。
【００１９】
図３に発光部２１の構成を示す。基板１７上に１つの発光ダイオード（以下、ＬＥＤという。）１８を設け、ＬＥＤ１８から出射された光は導光筒１９内を通って導光筒１９上部から出力される。そして、この光はトッププレート１を介して、図１に示すようにトッププレート上に加熱部の外周近傍を発光させる。
【００２０】
［誘導加熱調理器の動作］
本実施形態の誘導加熱調理器は、１つの加熱コイルによって加熱する加熱部と、２つの加熱コイルによって加熱する加熱部と、を有し、２つの加熱コイルによって加熱する加熱部の外周は、電源投入後、複数の加熱部の外周近傍を順次発光させる。また、加熱を開始する指令が入力されると、対応する加熱部の外周近傍を発光させる。
【００２１】
図４に本発明の実施形態の誘導加熱調理器による発光部の動作制御のフローチャートを示す。電源キー８ａがオフ状態のときには、発光制御部１６ｂはすべての発光部を消灯させている。使用者により電源キー８ａがオンされると（Ｓ１０１でＹｅｓ）、各加熱部２〜６の外周近傍を順次発光させる加熱エリア順次表示モードとなる（Ｓ１０２）。
【００２２】
例えば、図５（第１の発光例）に示すように発光させた後、図６（第２の発光例）に示すように発光させ、最後は図７（第３の発光例）に示すように発光させる。図５〜図７において、発光している部分を斜線で示す。第１の発光例（図５）は、第１の加熱部２、第３の加熱部４、及び第４の加熱部５にそれぞれ１つの被加熱部が載置されて加熱する場合の発光例である。発光制御部１６ｂは、第１の加熱部２の外周近傍の第１の発光部２１〜２４、第３の加熱部４の外周近傍の第３の発光部４１〜４４、第４の加熱部５の外周近傍の第４の発光部５１〜５４を点灯させる。第２の発光例（図６）は、第１の加熱部２、及び第５の加熱部６にそれぞれ１つの被加熱部が載置されて加熱する場合の発光例である。発光制御部１６ｂは、第１の加熱部２の外周近傍の第１の発光部２１〜２４、第５の加熱部６の外周近傍の第３の発光部４１，４４及び第４の発光部５２，５３を点灯させる。発光制御部１６ｂは、第３の発光部４２，４３及び第４の発光部５１，５４を点灯させない。第３の発光例（図７）は、第２の加熱部３、第３の加熱部４、及び第４の加熱部５にそれぞれ１つの被加熱部が載置されて加熱する場合の発光例である。発光制御部１６ｂは、第２の加熱部３の外周近傍の第２の発光部３１〜３４、第３の加熱部４の外周近傍の第３の発光部４１〜４４、第４の加熱部５の外周近傍の第４の発光部５１〜５４を点灯させる。発光制御部１６ｂは、第１の発光部２１〜２４を点灯させない。
【００２３】
使用者により加熱キー８ｂ〜８ｆのいずれか１つがオンされると（Ｓ１０３でＹｅｓ）、加熱モードに移行し、使用者からの入力に基づいて、複数の加熱コイルによって１つの被加熱物を加熱するか否かを判断する（Ｓ１０４）。ここでは、加熱キー８ｂ，８ｅ（図１）は２つの加熱コイルを連動させて加熱するためのキーであり、加熱キー８ｃ，８ｄ，８ｆ（図１）は１つの加熱コイルを動作させて加熱するためのキーである。よって、発光制御部１６ｂは、加熱キー８ｂ，８ｅ（図１）のいずれか１つがオンされたときは、複数の加熱コイルによって１つの被加熱物を加熱すると判定し、加熱キー８ｃ，８ｄ，８ｆ（図１）のいずれか１つがオンされたときは、１つの加熱コイルによって１つの被加熱物を加熱すると判定する。発光制御部１６ｂが１つの加熱コイルによって１つの被加熱物を加熱すると判断すると（Ｓ１０４でＮｏ）、発光制御部１６ｂは加熱を開始する１つの加熱コイルの外周近傍に設けられた４つの発光部を点灯させる（Ｓ１０５）。
【００２４】
一方、発光制御部１６ｂが複数の加熱コイルによって１つの被加熱物を加熱すると判断すると（Ｓ１０４でＹｅｓ）、発光制御部１６ｂは加熱を開始する連動して加熱動作をする加熱コイルの外周近傍に設けられた４つの発光部を点灯させる（Ｓ１０６）。具体例を図８、図９に示す。図８、図９において、発光している部分を斜線で示す。
【００２５】
図８は、第２の加熱部３上に配置された１つの被加熱物６１を加熱するために、加熱キー８ｅがオンされた場合の発光部の点灯例を示した図である。加熱キー８ｅがオンされたときに連動して動作させるコイルは、第１の加熱コイル９と第２の加熱コイル１０となる。したがって、発光制御部１６ｂは、連動して加熱を開始する加熱コイルの外周近傍の第２の発光部３１〜３４を点灯させ、第１の発光部２１〜２４を点灯させない。これにより、第２の加熱部３の外周近傍を発光させる。図９は、第５の加熱部６上に配置された１つの被加熱物６２を加熱するために、加熱キー８ｂがオンされた場合の発光部の点灯例を示した図である。加熱キー８ｂがオンされたときに動作させるコイルは、第３の加熱部４に対応する加熱コイルと第４の加熱部５に対応する加熱コイルとを連動させて加熱する。したがって、発光制御部１６ｂは、連動して加熱を開始する加熱コイルの外周近傍の第３の発光部４１，４４、第４の発光部５２，５３を点灯させる。発光制御部１６ｂは、第３の加熱部４に対応する加熱コイルと第４の加熱部５に対応する加熱コイルの間に配置された第３の発光部４２，４３、第４の発光部５１，５４を点灯させない。これにより、第５の加熱部６の外周近傍を発光させる。
【００２６】
加熱制御部１６ａは、使用者からの入力に基づいて、加熱コイルに高周波電流を供給するように制御する（Ｓ１０７）。例えば、加熱キー８ｅがオンされた場合は、加熱制御部１６ａは第１の加熱コイル９と第２の加熱コイル１０に高周波電流を供給する。また、加熱キー８ｂがオンされた場合は、加熱制御部１６ａは第３の加熱部４に対応する加熱コイルと第４の加熱部５に対応する加熱コイルに高周波電流を供給する。その後、使用者により加熱キーがオフされると（Ｓ１０８でＹｅｓ）、発光制御部１６ｂは、加熱を終了する加熱コイルの発光部を消灯させる（Ｓ１０９）。加熱制御部１６ａは、加熱コイルへの高周波電流の供給を停止する（Ｓ１１０）。その後、加熱キー８ｂがオンされるまで待機する（Ｓ１０３）。説明を省略しているが、電源キー８ａのオンオフは常に監視されており、電源キー８ａがオフ操作されると直ちに電源オフモードに移行し、加熱動作及び全ての発光表示が消え、電源スイッチのオンを待つ（Ｓ１０１）。
【００２７】
本実施形態の誘導加熱調理器は、２つの加熱コイルを連動して動作させて１つの被加熱物を加熱する機能を有し、電源投入後、図５〜図７に示すように、各加熱部の外周近傍を順次発光させる。これにより、使用者は加熱前に加熱部の種類（大きさや位置）を認識することができる。すなわち、使用者は容易に鍋を載置できる領域を認識することができる。
【００２８】
また、本発明の誘導加熱調理器は、加熱指令が入力されると、対応する加熱部の外周近傍を発光させる。これにより、２つ以上の加熱コイルによって１つの被加熱物を加熱する場合であっても、連動して動作する加熱部の外周近傍を発光させるので、使用者は被加熱物をどこに載置したらよいか認識しやすくなる。また、使用者が間違って他の加熱キーをオンしてしまった場合でも、トッププレート上に加熱を開始する加熱部が正確に表示されるので、使用者は間違いに気付きやすい。
【００２９】
［変形例１］
本実施形態の誘導加熱調理器の操作部８に、図１０に示すようにデモ（demo）キー８ｉを追加してもよい。この場合、使用者により加熱キー８ｂ〜８ｆのいずれか１つがオンされる（図４のＳ１０３）前に、デモキー８ｉが長時間(例えば１０秒)連続してオンされると、図４のステップＳ１０７で、加熱制御部１６ａは、加熱コイルに高周波電流を供給しないように制御するデモモードとなる。デモモードとなると電源がオフされても、再度電源が投入されても記憶素子に記憶されたデータによりデモモードとなる。これにより、店頭等でデモストレーションを行うときに、一度電源がオフされて再度オンされ、加熱キー８ｅが操作されても加熱コイルに高周波電流が流れないので安全である。なお、デモキー８ｉが押され、デモモードにあるとき、それを表示するデモモード表示部（図示せず）を設けてもよい。また、デモモードに移行させるためのデモモード移行操作部として、デモキー８ｉを設ける代わりに、見え難いところにスイッチを設けても良い。また、デモモード移行操作部として、キー８ａ〜８ｆのうち、特定のキーを組み合せて構成し、それらを所定の操作(例えば３つのキーの同時押し)を行うことにより、通常の加熱モードからデモモードに移行させる、あるいはデモモードから通常の加熱モードに移行させるようにしても良い。
【００３０】
［変形例２］
本実施形態において、発光部は、図３に示すように１つの単色ＬＥＤを有するが、図１１に示すように２つ以上の単色ＬＥＤを有してもよいし、１つの２色ＬＥＤを有してもよい。２色で点灯させる場合、図４のステップＳ１０２で、発光制御部１６ｂは発光部を第１の色で点灯させ、図４のステップＳ１０５及びＳ１０６で、発光制御部１６ｂは発光部を第２の色で点灯させる。
【００３１】
なお、本実施形態においては、図４のステップＳ１０２で、複数の加熱部２〜６を図５〜図７に示すように順次発光させているが、この順番に限らない。例えば、加熱キー８ｂ〜８ｆの順に複数の加熱部２〜６を１つずつ発光させてもよい。また、加熱キーがオンされるまで、該発光を繰り返してもよい。
【００３２】
なお、本実施形態において、発光制御部１６ｂは、発光部を点灯させているが、点滅させてもよい。
【００３３】
なお、本実施形態において、複数の発光部が、４分割され、１つの加熱コイルの周囲に、他の発光部と間隔をもうけ全体として離散的に光るように配列されたが、分割数を変えても良く、また、隣り合う発光部間が互いに接するように構成して隣り合う発光部が連続して発光しているように見えるようにしても良い。
【産業上の利用可能性】
【００３４】
本発明による誘導加熱調理器は、複数の加熱コイルによって加熱する加熱部を有している場合であっても、使用者は被加熱物をどこに載置したらよいか認識しやすくなるという効果を有し、一般家庭などで使用される誘導加熱調理器に有用である。
【図面の簡単な説明】
【００３５】
【図１】本発明の実施形態による誘導加熱調理器の上面図
【図２】本発明の実施形態による誘導加熱調理器の構成図
【図３】本発明の実施形態による誘導加熱調理器の発光部の構成図
【図４】本発明の実施形態の誘導加熱調理器による発光部の動作制御のフローチャート
【図５】本発明の実施形態において複数の加熱部２〜６を順次発光させるときの発光部の点灯例を示す図
【図６】本発明の実施形態において複数の加熱部２〜６を順次発光させるときの発光部の点灯例を示す図
【図７】本発明の実施形態において複数の加熱部２〜６を順次発光させるときの発光部の点灯例を示す図
【図８】本発明の実施形態において加熱キー８ｅがオンされた場合の発光部の点灯例を示す図
【図９】本発明の実施形態において加熱キー８ｂがオンされた場合の発光部の点灯例を示す図
【図１０】本発明の実施形態の変形例１による誘導加熱調理器の上面図
【図１１】本発明の実施形態の変形例２による誘導加熱調理器の発光部の構成図
【符号の説明】
【００３６】
１        トッププレート
２〜６    加熱部
７        表示部
８        操作部
８ａ      電源キー
９，１０，１１  加熱コイル
１２，１３  被加熱物
１４，１５  インバータ回路
１６        制御部
１６ａ      加熱制御部
１６ｂ      発光制御部
１７        基板
１８，１８ａ，１８ｂ  ＬＥＤ
１９        導光筒
２１〜２４，３１〜３４，４１〜４４，５１〜５４  発光部
【図１】
0005022277.tif 000002
【図２】
0005022277.tif 000003
【図３】
0005022277.tif 000004
【図４】
0005022277.tif 000005
【図５】
0005022277.tif 000006
【図６】
0005022277.tif 000007
【図７】
0005022277.tif 000008
【図８】
0005022277.tif 000009
【図９】
0005022277.tif 000010
【図１０】
0005022277.tif 000011
【図１１】
0005022277.tif 000012